(57)【要約】フィルムユニットの写真処理のときに可視化する潜像を含む自己現像拡散転写写真用フィルムユニット。潜像は指示染料のような化学物質で形成され、写真処理の結果として潜像から形成される可視画像は一時的または永久的である。拡散転写写真方法もまた記載される。本発明の拡散転写写真用フィルムユニットは、以下：少なくとも１つのハロゲン化銀乳濁液を保持する支持体を含有する感光性要素；第２シート様要素；感光性シート様要素および第２シート様要素の少なくとも１つに配置された画像受容層；要素の予め決定された層間での分配のために水性アルカリ処理組成物を提供する手段、ならびに感光性要素および第２シート様要素の１つによって保持される潜像であって、水性アルカリ処理組成物との接触の際に可視画像を形成し得る化学物質を含む潜像、を含む。【特許請求の範囲】
【請求項１】
拡散転写写真用フィルムユニットであって、以下：
少なくとも１つのハロゲン化銀乳濁液を保持する支持体を含有する感光性要素；
該感光性要素と重なった関係でか、もしくは該感光性要素と重なった関係で配置されるために適合された第２シート様要素；
該感光性シート様要素および該第２シート様要素の少なくとも１つに配置された画像受容層；
該要素の予め決定された層間での分配のために水性アルカリ処理組成物を提供する手段、
ならびに、該感光性要素および該第２シート様要素の１つによって保持される潜像であって、該水性アルカリ処理組成物との接触の際に可視画像を形成し得る化学物質を含む潜像、を含む、拡散転写写真用フィルムユニット。
【請求項２】
前記潜像は、指示染料、漂白可能指示染料および漂白可能フィルター染料からなる群から選択される化学物質を含む、請求項１に記載の拡散転写フィルムユニット。
【請求項３】
前記潜像は、前記画像受容層によって保持される、請求項１に記載の拡散転写フィルムユニット。
【請求項４】
前記感光性要素は、少なくとも２つの異なるカラー画像成分を保持する支持体を含み、それぞれの該カラー画像成分は、対応する画像染料供給材料と共にカラー感応性ハロゲン化銀乳濁液を含む、請求項１に記載の拡散転写フィルムユニット。
【請求項５】
青緑画像染料供給材料と共に赤感応性ハロゲン化銀乳濁液層を含む赤画像成分、赤紫画像染料供給材料と共に緑感応性ハロゲン化銀乳濁液層を含む緑画像成分、黄緑画像染料供給材料と共に青感応性ハロゲン化銀乳濁液層を含む青画像成分を含む、請求項４に記載の拡散転写フィルムユニット。
【請求項６】
前記画像受容層中の画像が観察され得る光反射層を提供する手段をさらに含み、ここで前記第２シート様要素が支持体をさらに含み、ならびに該画像受容層が該第２シート様要素中に位置する、請求項１に記載の拡散転写フィルムユニット。
【請求項７】
前記第２シート様要素の前記支持体は透明であり、前記感応性要素の前記支持体は不透明である、請求項６に記載の拡散転写フィルムユニット。
【請求項８】
前記潜像は前記画像受容層で保持され、漂白可能指示染料を含む、請求項７に記載の拡散転写フィルムユニット。
【請求項９】
前記第２シート様要素の前記支持体は不透明であり、光反射層を提供する前記手段は、前記画像受容層と該第２シート様要素の該不透明支持体との間に位置する光反射顔料の層であり、該第２シート様要素は、画像が該画像受容層に形成された後に前記感光性要素から分離されるために適合される、前記請求項６に記載の拡散転写フィルムユニット。
【請求項１０】
前記画像は前記画像受容層により保持され、指示染料を含む、請求項９に記載の拡散転写フィルムユニット。
【請求項１１】
水性アルカリ処理組成物を提供する前記手段は、解放可能なように該水性アルカリ処理組成物を含む壊れ得る容器を含む、請求項１に記載の拡散転写フィルムユニット。
【請求項１２】
前記潜像は写真現像の結果として一時的可視画像を形成するために適合される、請求項１に記載の拡散転写フィルムユニット。
【請求項１３】
前記潜像は写真現像の結果として永久的画像を形成するために適合される、請求項１に記載の拡散転写フィルムユニット。
【請求項１４】
請求項１に記載されるフィルムユニットを被写体に曝露する工程、および前記水性アルカリ処理組成物を該フィルムユニットの所定の層の間に分配する工程を包含し、それによって写真現像の結果として前記潜像に対応する可視画像および該被写体に対する可視画像が提供される、拡散転写写真方法。
【請求項１５】
前記潜像に対応する前記可視画像は一時的である、請求項１４に記載の拡散転写写真方法。
【請求項１６】
前記潜像に対応する前記可視画像は永久的である、請求項１４に記載の拡散転写写真方法。
【発明の詳細な説明】
【背景技術】
【０００１】
（発明の背景）
本発明は、拡散転写写真用フィルムユニットおよび方法、より詳細には、フィルムユニットの写真処理のときに可視化する潜像を含むようなフィルムユニット、およびそれらを利用する方法に関する。
【０００２】
フィルムユニットの写真処理のときに可視化する潜像を含む、拡散転写写真用フィルムユニットは、当該分野において公知である。米国特許第５，１４２，３１１号は、フィルムの製造中に光に曝露される第一部位を有するようなフィルムユニットを開示する。第一部分はさらに露光されないために覆い隠しながら被写体へのフィルムユニットの第二部分の露光、およびこのフィルムユニットの写真処理の後、現像された潜像および被写体の画像からなる合成画像が形成される。潜像は任意の所望な画像であり得る。
【０００３】
自己現像の状態として、拡散転写写真芸術発達の新規利用が、一般的に拡散転写フィルムユニット、および特に潜像を含むフィルムユニットについて提案される。写真の現像の結果として潜像から得られる可視画像が一時的、または永久的であり得る、拡散転写写真用フィルムユニットは、所望である。たった１度のフィルムユニットの露光で合成画像を提供し得る拡散転写写真用フィルムユニットもまた所望である。
【発明の開示】
【発明が解決しようとする課題】
【０００４】
（発明の要旨）
これらおよび他の目的および利点が、本発明に従い、化学物質によって形成される潜像を含む、自己現像拡散転写写真用フィルムユニットを提供することによって成し遂げられる。潜像は、フィルムユニットの写真処理のときに可視画像を形成するために調整される。潜像から形成される可視画像は一時的であり得るか（すなわち、写真現像中および写真現像後のいくらかの期間、可視的であるが、その後消失する）、あるいは、永久であり得る（すなわち、潜像および曝露の被写体の画像に相当する可視画像を含む、合成最終画像が得られる）。
【０００５】
潜像は、例えば、指示染料、漂白可能フィルター染料および漂白可能指示染料を含む、任意の様々な適切な化学材料で形成され得る。潜像は、自己現像拡散転写写真用フィルムユニット内の任意の適切な位置に配置され得る。フィルムユニットの画像受容要素内に潜像を配置するのが好ましい。
【０００６】
本発明の自己現像拡散転写フィルムユニットは、「はがしとる」（ｐｅｅｌ−ａｐａｒｔ）フィルムユニット（すなわち、感光性要素が曝露され、写真現像がなされた後、画像受容要素が、感光性要素から分離されるために設計されたフィルムユニット）または「一体的な」（ｉｎｔｅｇｒａｌ）フィルムユニット（すなわち、画像形成が完成されるとき、感光性および画像受容要素が共に維持されるために設計されたフィルムユニット）であり得る。さらに、本発明のフィルムユニットは、白黒またはマルチカラーを含むカラーを提供するために調整され得る。
【０００７】
本発明に従い、フィルムユニットの単一露光で合成写真を形成するための拡散転写写真方法がまた提供される。
【発明を実施するための最良の形態】
【０００８】
（好ましい実施形態の説明）
本発明の自己現像拡散転写写真用フィルムユニットに組み込まれた潜像は、フィルムユニットへの水性アルカリ写真処理組成物の適用によってもたらされる写真現像中およびその後、一時的または永久的ないずれかの可視画像を提供する、任意の適切な化学材料によって提供され得る。潜像を形成するために利用され得る典型的な適切な化学材料として、指示染料、漂白可能フィルター染料および漂白可能指示染料が挙げられる。潜像は、その製造中、または組立て中に、拡散転写フィルムユニットに組み込まれ得る。潜像は、挨拶、広告用の、印、飾り模様、記号などを含む、任意の形式であり得る。
【０００９】
一般的に言えば、指示染料は、異なるｐＨレベルで可逆性変色を起こすものである。現像が周辺光下で行なわれるように露光および写真処理組成物の適応後にカメラから取り出された一体的な拡散転写写真用フィルムユニットの事例のような、現像が外来性の入射光線の存在下で行われる写真用法で、曝露された感光性材料を曝露後のかぶりから選択的に応じて保護することを目的として、拡散転写写真用フィルムユニット中で指示染料を使用することが周知である。例えば、米国特許第３，７０２，２４４号；同第３，７０２，２４５号および同第３，７２６，６７５号を参照のこと。拡散転写写真現像処理において、フィルムユニット内の任意の特定場所のｐＨが時間と共に変化することもまた周知である。代表的に、現像工程にて使用される水性アルカリ処理組成物は、非常に高いｐＨ（例えば、約１３〜１４）を有し、そして現像中、多層フィルムユニットの各層は、非常に高いｐＨレベルおよび比較的低いｐＨレベルを含む幅広いｐＨ範囲を経験し、最終的にはおよそ中性ｐＨとなる。
【００１０】
本発明の好ましい実施形態において、潜像は指示染料で形成される。指示染料は、好ましくは約１０〜約１３のｐＫａを有し、そしてまた好ましくは中性ｐＨで完全に脱色するものである。従って、この好ましい実施形態において、曝露された被写体の可視画像が現像され、そしてその後消失するように、観察者に見られ得る一時的な可視画像が提供される。
【００１１】
本発明の別の好ましい実施形態において、潜像は漂白可能な指示染料で形成される。拡散転写写真用フィルムユニットを含む、漂白可能指示染料および写真でのその使用は周知である。例えば、米国特許第４，１３９，３８１号；同第４，１７８，４４６号；同第４，１７８，４４７号を参照のこと。漂白可能指示染料は、代表的に低いｐＨ（例えば、中性ｐＨ）で無色であり、高いｐＨ（例えば、ｐＨ１２〜１３）で有色化し、しばらくの間高いｐＨで維持されるとき加水分解により非可逆的に漂白または脱色化する。１つの分子中の指示染料部分および漂白可能染料部分の組み合わせは、潜像から可視画像を提供するプロセスの開始をｐＨ依存性にするが、このプロセスの完了は加水分解依存性である。従って、潜像から得られる画像が可視的のままである時間は、現像プロセス中のｐＨ低下に非依存であり得る。本発明に従った使用に特に好ましい漂白可能指示染料は、３，３−ビス（４−ヒドロキシ−３，５−ジメトキシフェニル）−１，２−ベンゾイソチアゾール−２（３Ｈ）−カルボン酸−１，１−ジオキシド，２−（メチルスルホニル）エチルエステルである。
【００１２】
漂白可能フィルター染料は、本発明に従って潜像を形成するための別の好ましい分類の物質を含有する。漂白可能フィルター染料は代表的に、低いｐＨ（例えば、中性ｐＨ）で有色であり、高いｐＨ（例えば、ｐＨ１２〜１３）で加水分解により脱色する。これらの物質は、潜像に対応する可視画像を提供するために使用され得る。漂白可能フィルター染料は低いｐＨで有色であるため、フィルムユニットにおいてこれらの化合物で形成される潜像を、被写体への感光性要素の曝露が潜像を介してなされないような場所へ組み込むことが好ましい。
【００１３】
拡散転写フィルムユニットは代表的に、初めに別の感光性および画像受容要素を製造し、そして続いて完全なフィルムユニットを形成するために、水性アルカリ処理組成物を含む壊れ得る（ｒｕｐｔｕｒａｂｌｅ）容器と共にこれらを組み立てることにより製造される。潜像は、フィルムユニット内の任意の適切な場所（すなわち、感光性要素および／または画像受容要素中）で形成され得る。画像受容要素の画像受容層中に潜像を提供することが好ましい。
【００１４】
潜像は、感光性または画像受容要素の製造中、またはフィルムユニットの組立中にフィルムユニット中で形成され得る。アルコール、ケトンまたはエステルのような溶媒中の画像形成化学物質の溶液は代表的に、フィルムユニット中の所望の場所で画像様模様（ｉｍａｇｅｗｉｓｅ  ｐａｔｔｅｒｎ）で形成され、適用される。化学物質の濃度は、潜像から生じる可視画像のために所望な濃度を提供するために選択され得る。慣用的な有効範囲検査（ｓｃｏｐｉｎｇ  ｔｅｓｔ）は、任意の特定のフィルムユニット中に所望の結果を提供する最適な濃度を決定するために実施され得る。好ましい指示染料の事例において、イソプロピルアルコールのような有機溶媒中のおよそ２％（重量で）の染料の溶液は、所望の結果を提供する。
【００１５】
蛍光増白剤の材料は、潜像を形成するために使用される溶液中に取り込まれ得る。従って、紫外光線源でのフィルムユニット試験は、潜像が適切に形成されていることを証明するために実施され得る。
【００１６】
別の好ましい実施形態に従って、メッセージのような潜像は、フィルムユニットの永久的なＤｍｉｎすなわち、背景領域に、感光性要素の製造中またはフィルムユニットの組立中に、前もってこの領域を光に曝露することによって、組み込まれ得る。潜像は、中性ｐＨで脱色化しない指示染料のような永久的画像を提供する化学物質で、前露光された領域に形成され得る。この方式で、フィルムユニットが潜像から形成される可視画像と共に露光される被写体の合成画像が提供される。
【００１７】
これまでに述べたように、本発明の拡散転写写真用フィルムユニットは、はがしとられるか、あるいは一体的であり得る。拡散転写型の写真製品および方法は、当該分野にて周知であり、多くの特許で詳細に記載されている。フィルムユニットの個々の層の配列および順序、ならびにそれらの層における使用に適した多くの材料は、当該分野において公知である。従って、そのような材料およびフィルムユニットの集中的な議論はここで必要ではない。
【００１８】
一般的に、はがしとる拡散転写フィルムユニットの様々な実施形態は公知であり、Ｅ．Ｈ．Ｌａｎｄ、Ｈ．Ｇ．ＲｏｇｅｒｓおよびＶ．Ｋ．Ｗａｌｗｏｒｔｈ、Ｎｅｂｌｅｔｔｅｓ  Ｈａｎｄｂｏｏｋ  ｏｆ  Ｐｈｏｔｏｇｒａｐｈｙ  ａｎｄ  Ｒｅｐｒｏｇｒａｐｈｙ、第７版、Ｊ．Ｍ．Ｓｔｕｒｇｅ（編）、Ｖａｎ  Ｎｏｓｔｒａｎｄ  Ｒｅｉｎｈｏｌｄ、Ｎｅｗ  Ｙｏｒｋ  １９７７、２５８−３３０頁；およびＶ．Ｋ．ＷａｌｗｏｒｔｈおよびＳ．Ｈ．Ｍｅｒｖｉｓ、Ｉｍａｇｉｎｇ  Ｐｒｏｃｅｓｓｅｓ  ａｎｄ  Ｍａｔｅｒｉａｌｓ、Ｎｅｂｌｅｔｔｅｓ  第８版、Ｊ．Ｓｔｕｒｇｅ、Ｖ．ＷａｌｗｏｒｔｈおよびＡ．Ｓｈｅｐｐ（編）、Ｖａｎ  Ｎｏｓｔｒａｎｄ  Ｒｅｉｎｈｏｌｄ、Ｎｅｗ  Ｙｏｒｋ、１９８９、１８１−２２５頁に記載のように、画像が白黒（還元された銀）およびカラー（画像染料）で形成されるものを含む。はがしとるフィルムユニットのさらなる例が、米国特許第２，９８３，６０６号；同第３，３４５，１６３号；同第３，３６２，８１９；同第３，５９４，１６４号；同第３，５９４，１６５号および同第５，５９３，８０９号に記載されている。本発明に従って、白黒フィルムユニットは、例えば米国特許２，５４３，１８１；同第４，４８９，１５２号および同第５，８５８，６０８号に記載のように、はがしとる形態および一体的な形態の両方で提供され得る。全ての前述の参考文献は、本明細書にて参考として援用される。感光性要素および画像受容要素は、一時的画像が可視的である比較的高いｐＨで相互に分離され、画像受容部材のｐＨが中性に落ちるにつれて一時的画像が消失するので、潜像に対応する一時的可視画像が所望である場合、中性ｐＨで無色である指示染料は、本発明に従うはがしとるフィルムユニットでの潜像の形成に好ましい。
【００１９】
本発明に従う好ましい実施例は、参考として本明細書中に援用される米国特許第３，４１５，６４４号に記載されるような、同じ表面を介して曝露され、そして形成された画像が観察される一体的なフィルムユニットを含む。この型のフィルムユニットの市販用実施形態（例えば、Ｐｏｌａｒｏｉｄ  ＣｏｒｐｏｒａｔｉｏｎからのＳＸ−７０フィルム）においては、感光性要素のための支持体が不透明で、画像受容要素のための支持体が透明で、ならびに画像受容要素中に形成される画像が観察される光反射層が、例えば二酸化チタンのような光反射顔料を含む処理組成物の層を重なった要素の間に分配することにより形成される。適切なｐＨ感応性光学的フィルター剤（好ましくはｐＨ感応性フタレイン染料）を、米国特許第３，６４６，３４７号（本明細書中に参考として援用される）に記載されるような処理組成物中に取り込むことにより、フィルムユニットは、写真家が透過画像が現れるのを見る間に現像処理が周辺光下で完了するように、処理組成物が適用された直後にカメラから取り出され得る。
【００２０】
潜像に対応する一時的な可視画像が望ましい前述の型の一体的なフィルムユニットにおいて、漂白可能指示染料で潜像を形成することが好ましい。漂白可能指示染料は、高いｐＨで有色化し、その後しばらくの間そのｐＨで維持されるとき加水分解により脱色化するため、潜像に対応する可視画像は観察者に見えるが、系のｐＨが中性に低下する前に消失する。
【００２１】
任意の公知の型の多色拡散転写感光性要素が利用され得るが、特に好ましい実施形態において、多色感光性要素は米国特許第４，７４０，４４８号（本明細中に参考として援用される）に記載の型である。画像受容要素は、拡散転写写真用フィルムユニットでの使用に公知の任意のものであり得る。好ましい実施形態において、画像受容要素は、重合体の酸反応層、タイミング（すなわち隔板（ｓｐａｃｅｒ））層および画像受容層を保持する透明な支持体を含む。
【００２２】
当該分野にて周知のように、代表的に、フィルムユニットを、壊れ得る容器を所望の所定の縁で破壊させる１対の向かい合った拡散ローラに通過させることによって、処理組成物はフィルムユニットに適応され、それによって処理組成物はフィルムユニットの写真領域の至る所に均一に拡散される。フィルムユニットは代表的に、フィルムユニットの各側の処理組成物が拡散する方向の平行側部レール、ならびに向かい合う前縁および後縁マスキング領域のため、画像受容要素中に形成される結果の画像に最終的に枠組みをつける、長方形の開口が形成されたマスクシートを含む。マスク層構造の詳細な記載については、例えば米国特許第４，８２４，７６１号（これによって、本明細中に参考として援用される）を参照のこと。処理組成物は、処理組成物を堆積することが望まれるフィルムユニットの側部レールおよび層または要素によって形成される容器に流れ込む。側面レールの厚さは、所定の厚みの処理組成物のコーティングが適用されるように、処理組成物が拡散される、フィルムユニットの層の間および要素間の間隔を決定する。従って、処理組成物のコーティングの実質的に均一な厚さを維持することを容易にするために、吸着層は好ましくは、写真領域を超えて、処理組成物が拡散する方向に広がる。処理組成物が拡散する方向に対して垂直な方向に、吸着層がレールの幅の少なくともかなりの部分を超えて拡がる（例えば、好ましくはレール幅の約１／２〜３／４に重なる）。
【００２３】
本発明に従うフィルムユニットの好ましい実施形態は、向かい合う外面を通して曝露され、そして観察されるものである。曝露が１つの透明な外面を通してなされ、形成された画像が向かいの外面を通して観察される型の拡散転写写真用フィルムユニットは、当該分野にて周知であり、例えば米国特許第３，５９４，１６５号および同第３，６８９，２６２号（本明細書中に参考として援用される）に詳細に記載されている。この型のフィルムユニットにおいて、画像受容要素および感光性要の両方が１つの透明な支持体上にコーティングされ、そしてユニットの他の外面を形成するために、透明シート要素が感光性要素に配置されている。
【００２４】
フィルムユニットの感光性要素は、感光性ハロゲン化銀乳濁液を含有する。本発明の好ましいカラーの実施形態において、感光性ハロゲン化銀乳濁液は、処理のとき曝露の機能として画像受容層に拡散し得る、対応する拡散性染料を含有する。本発明の好ましい”白黒”実施形態において、使用される画像形成材料は、処理中に感光性要素から画像受容層に拡散する錯化銀である。このような両方の感光性システムは、当該分野において周知であり、本明細中以下により詳細に記載される。
【００２５】
本発明に従う特に好ましいフィルムユニットは、マルチカラー染料画像を提供することを意図したものである。マルチカラー画像を形成するための最も一般的に使用される陰画成分は、「トライパック」構成のものであり、青、緑、および赤に感応性のハロゲン化銀懸濁液層（それぞれは同一のまたは近接する層中にそれぞれ黄、赤紫および青緑の画像染料供給材料を付随して有する）を含む。拡散転写写真の処理に適切な感光性要素およびその使用は周知であり、例えば米国特許第３，３４５，１６３号（１９６７年１０月３日にＥ．Ｈ．Ｌａｎｄらに対し発行された）；同第２，９８３，６０６号（１９６１年５月９日にＨ．Ｇ．Ｒｏｇｅｒｓに対し発行された）；および同第４，３２２，４８９号（１９８２年３月３０日にＥ．Ｈ．Ｌａｎｄらに発行された）に開示されている。染料現像液および染料供給チアゾリジン化合物を含む感光性要素は、良い結果で使用され得、Ｐ．Ｏ．Ｋｌｉｅｍに対する米国特許第４，７４０，４４８号に記載されている。
【００２６】
白黒フィルムユニットの実施形態において、感光性ハロゲン化銀懸濁液を含む感光性要素は、光に曝露され、ハロゲン化銀現像剤およびハロゲン化銀溶媒を含有する水性アルカリ溶液にさらされる。現像剤は曝露されたハロゲン化銀を金属銀に還元し、そして溶媒は非還元ハロゲン化銀と反応し可溶性銀塩錯体を形成する。この可溶性銀塩錯体は画像受容要素に移動する。画像受容要素は代表的に、支持体および銀沈殿材料を含む画像受容層（ここで、可溶性銀塩錯体は沈殿するか、もしくは還元されて可視銀「白黒」画像を形成する）を含む。白黒の実施形態における保護層のための結合材料は、写真アルカリ処理液および、画像を提供するために画像受容層に転写する錯化銀塩に浸透性であるべきである。そのような白黒写真用フィルムユニットの例が、米国特許第３，５６７，４４２号；同第３，３９０，９９１号；および同第３，６０７，２６９号ならびにＥ．Ｈ．Ｌａｎｄ、Ｈ．Ｇ．Ｒｏｇｅｒｓ、およびＶ．Ｋ．Ｗａｌｗｏｒｔｈ、Ｊ．Ｍ．Ｓｔｕｒｇｅ（編）Ｎｅｂｌｅｔｔｅ’ｓ  Ｈａｎｄｂｏｏｋ  ｏｆ  Ｐｈｏｔｏｇｒａｐｈｙ  ａｎｄ  Ｒｅｐｒｏｇｒａｐｈｙ、第７版、Ｖａｎ  Ｎｏｓｔｒａｎｄ  Ｒｅｉｎｈｏｌｄ、Ｎｅｗ  Ｙｏｒｋ、１９７７、２５８〜３３０頁に記載されている。
【００２７】
本発明はここで、例として特定の好ましい実施形態に関してさらに記載され、これらは例証的であることのみを意図し、本発明は、本明細書中に列挙される材料、条件、処理要因などに限定されないことを理解されるべきである。列挙される全ての部およびパーセントは、記述されない限り、重量によるものである。
【実施例】
【００２８】
本実施例にて使用される一体的な拡散転写フィルムユニットは、次の構造を有した：感光性要素は、連続的に次を保持する不透明な補助コーティングされたポリエチレンテレフタレート写真用フィルムベースを含んだ：
１．米国特許第５，４２７，８９９号に記載の１／１アクリル酸／アクリル酸ブチルのコポリマーおよび約６０ｍｇ／ｆｔ２カーボンブラックを含有し、２２，３００ｍｇ／ｍ２でコーティングされたポリマー酸（ｐｏｌｙｍｅｒｉｃ  ａｃｉｄ）
１ａ．約６４５６ｍｇ／ｍ２のエチレンマレイン酸無水物の部分ブチルエステル、約１０７６ｍｇ／ｍ２のポリビニルブチラールおよび約２３ｍｇ／ｍ２の二酸化チタンを含有するポリマー酸層；
２．約２６００ｍｇ／ｍ２の範囲でコーティングされたアクリル酸ブチル／ジアセトンアクリルアミド／アクリル酸カーボメトキシメチル／メチルアクリル酸／メタクリル酸メチルの４９．１／３０／１０／３．７／７．２ペンタポリマー、および層のｐＨを約７．２にするために十分な量の水酸化ナトリウムを含有するタイミング層（ｔｉｍｉｎｇ  ｌａｙｅｒ）。
【００２９】
３．次の式で表される約５００ｍｇ／ｍ２の緑青染料現像液
【００３０】
【化１】
2004532428.tif 000002
および約２７４ｍｇ／ｍ２のゼラチンを含む緑青染料現像液層；
４．約８００ｍｇ／ｍ２の二酸化チタン、約３７４ｍｇ／ｍ２のポリメチルメタクリレートビーズ（約０．２μｍ）の分散、約１２４ｍｇ／ｍ２のゼラチン、およびアクリル酸ブチル／ジアセトンアクリルアミド／メタクリル酸／スチレン／アクリル酸の約３７４ｍｇ／ｍ２のコポリマーを含む中間層；
５．約２４０ｍｇ／ｍ２のヨード臭化銀（１．１μｍ）、約４２０ｍｇ／ｍ２のヨード臭化銀（１．５μｍ）、約５４０ｍｇ／ｍ２のヨード臭化銀（１．８μｍ）および約６００ｍｇ／ｍ２のゼラチンを含む赤感応性ヨード臭化銀層；
６．１２０ｍｇ／ｍ２のＭＰＨＱ、１−５ｍｇ／ｍ２のアスコルビン酸パルミテート、約２００ｍｇ／ｆｔ２のリン酸トリクレシル（ｔｒｉｃｒｅｓｔｙｌｐｈｏｓｐｈａｔｅ）、および１２００ｍｇ／ｍ２のゼラチンを含む層；
７．アクリル酸ブチル／ジアセトンアクリルアミド／メタクリル酸／スチレン／アクリル酸の約４０１０ｍｇ／ｍ２のコポリマーおよび１７０ｍｇ／ｍ２のポリアクリルアミドを含む中間層；
８．次の式で表される約３００ｍｇ／ｍ２の赤紫染料現像液
【００３１】
【化２】
2004532428.tif 000003
約３０ｍｇ／ｍ２のベンジルアミノプリン、約２００ｍｇ／ｍ２の解放され得る抗かぶり剤
【００３２】
【化３】
2004532428.tif 000004
約２００ｍｇ／ｍ２の２−フェニルベンゾイミダゾールおよび約２９２ｍｇ／ｍ２のゼラチンを含有する赤紫染料現像液層；
９．約９００ｍｇ／ｍ２の二酸化チタン、約３３７ｍｇ／ｍ２のポリメチルメタクリレートビーズ（約０．２μｍ）の分散、約１１２ｍｇ／ｍ２のゼラチン、およびアクリル酸ブチル／ジアセトンアクリルアミド／メタクリル酸／スチレン／アクリル酸の約３３７ｍｇ／ｍ２のコポリマーを含む層；
１０．約１０００ｍｇ／ｍ２のヨード臭化銀（１．３μｍ）、および約４８４ｍｇ／ｍ２のゼラチンを含有する緑感応性ヨード臭化銀層；
１１．約３００ｍｇ／ｍ２のリン酸トリクレシル、約１３６ｍｇ／ｍ２のＭＰＨＱ、次の式で表される約１３６ｍｇ／ｍ２のラクトン現像液、
【００３３】
【化４】
2004532428.tif 000005
および約２４９ｍｇ／ｍ２のゼラチンを含有する間隔層；
１２．アクリル酸ブチル／ジアセトンアクリルアミド／メタクリル酸／スチレン／アクリル酸の約１２４８ｍｇ／ｍ２のコポリマーおよび５２ｍｇ／ｍ２のポリアクリルアミドを含有する中間層；
１３．約１２００ｍｇ／ｍ２のスカベンジャー（１−オクタデシル−４，４−ジメチル−２−［２−ヒドロキシ−５−（Ｎ−（７−カプロラクタミド）スルホンアミド−フェニル］チアゾリジン）、および約６９６ｍｇ／ｍ２のゼラチンを含む層；
１４．約４００ｍｇ／ｍ２のベンジジン黄染料、約４００ｍｇ／ｍ２のポリビニルアルコール（Ａｉｒ  Ｐｒｏｄｕｃｔｓ  Ｃｏ．より入手可能のＡｉｒｖｏｌ（登録商標）３２５）および約１５０ｍｇ／ｍ２の硬化剤（ＯＢ  １２０７の商標名でＲ．Ｈ．Ｓａｎｄｓ  Ｃｏｒｐ．より入手可能）を含む黄フィルター層；
１５．Ａｉｒｖｏｌに分散される次の式で表される約４２０ｍｇ／ｍ２の黄画像染料供給材料
【００３４】
【化５】
2004532428.tif 000006
および約２８０ｍｇ／ｍ２のゼラチンを含む黄画像染料供給層；
１６．約４１２ｍｇ／ｍ２のｔｅｒｔ−オクチルヒドロキノン、約２０６ｍｇ／ｍ２のジメチルテレフタルアミド、約４５ｍｇ／ｍ２の酸化解放抑制化合物（ｒｅｌｅａｓｅ  ｒｅｓｔｒａｉｎｅｒ  ｃｏｍｐｏｕｎｄ）（Ｆａｉｒｍｏｎｔ  Ｃｈｅｍｉｃａｌ，Ｉｎｃ．より入手可能）および約３００ｍｇ／ｍ２のゼラチンの範囲でコーティングされた層；
１７．約２３５ｍｇ／ｍ２のヨード臭化銀（１．３μｍ）および約１１８ｍｇ／ｍ２のゼラチンを含有する青感応性ヨード臭化銀層；ならびに
１８．約４５０ｍｇ／ｍ２のポリメチルメタクリレートビーズ（約０．２μｍ）の分散、および約３５０ｍｇ／ｍ２のゼラチンを含む層。
【００３５】
画像受容要素は、連続的に次を保持する透明な補助コーティングされたポリエチレンテレフタレート写真用フィルムベースを含む：
１．ターポリマー（ビニルベンジルトリメチルアンモニウムクロリド、ビニルベンジルトリエチルアンモニウムクロリドおよびビニルベンジルジメチルドデシルアンモニウムクロリド（それぞれ６．７／３．３／１重量％）を含む）の２部、およびゼラチンの１部、約１２．５ｍｇ／ｍ２のジメチル−２，４−イミダゾリンジオン、約５３．８ｍｇ／ｍ２の硝酸アンモニウムおよび約１０．８ｍｇ／ｍ２のポリメチルメタクリレートビーズ（約４μｍ〜約７μｍまで、Ａｎｉｔｅｃ  Ｉｍａｇｅより入手可能）を含有するものを約２７９８ｍｇ／ｍ２の範囲でコーティングされた画像受容層；
２．約５４０ｍｇ／ｍ２のＩｇｅｐａｌ（登録商標）ＣＯ−９９７および約２７０ｍｇ／ｍ２のＴｙｐｅ  ＮＰ  Ｋ−９０を含有するものを約８１０ｍｇ／ｍ２の範囲でコーティングされる層；ならびに
３．約３２３ｍｇ／ｍ２のＰｅｔｒｏｌｉｔｅ（登録商標）（Ｄ３００）および約１０８ｍｇ／ｍ２のＰｏｌｙｏｘ  Ｎ３Ｋ（それぞれ約３：１の割合）、および約２１．５ｍｇ／ｍ２の０．１％のＡｅｒｏｓｏｌ−ＯＳを含有するものを約４３０ｍｇ／ｍ２の範囲でコーティングされた層。
【００３６】
本発明に従う潜像を、初めにイソプロピルアルコール中におよそ２％（重量で）のチモールフタレン（ＴＭＰ）の溶液を形成することによって画像受容要素の外面に適用した。ハッピーフェイスの画像を生じるゴム印を、この溶液に浸し、ベースの外面に対し２回印を押すことにより、２つのハッピーフェイスの画像を画像受容要素のフィルムベースの外面に適用した。画像をドライヤーで乾燥した。
【００３７】
水性アルカリ処理組成物を含む壊れ得る容器を、フィルムユニットの前縁の画像受容要素と感光性要素間に貼付し、そのためにこの容器への圧縮圧力（ｃｏｍｐｒｅｓｓｉｖｅ  ｐｒｅｓｓｕｒｅ）の適用が容器の密封を辺縁に沿って破壊し、それぞれの要素間に均一に内容物を分配する。フィルムユニットの処理に利用される水性アルカリ処理組成物の化学組成を表Ｉに記載する。
【００３８】
【表１】
2004532428.tif 000007
【００３９】
【化６】
2004532428.tif 000008
次にフィルムユニットを、１つの透明な側および１つの不透明な側を有するＤｍａｘ／Ｄｍｉｎ工程標的に曝露し、次にフィルムユニットにわたって処理組成物を分配するために、１対の向かい合った拡散ローラに通過させる。ハッピーフェイス画像は、フィルムユニットの両側で（すなわち、フィルムユニットの露光された領域と露光されなかった領域の両方で）確認された。現像プロセスの開始から約９分後に、両方のハッピーフェイス画像は消失した。
【００４０】
本発明は、様々な好ましい実施形態に関し詳細に記載されてきたが、これらに限定されることは意図されず、むしろ当業者は、本発明の精神および添付された特許請求の範囲の領域内の変化および改変がなされ得ることを認識する。
【国際公開パンフレット】
2004532428.tif 000009
2004532428.tif 000010
2004532428.tif 000011
2004532428.tif 000012
2004532428.tif 000013
2004532428.tif 000014
2004532428.tif 000015
2004532428.tif 000016
2004532428.tif 000017
2004532428.tif 000018
2004532428.tif 000019
2004532428.tif 000020
2004532428.tif 000021
2004532428.tif 000022
2004532428.tif 000023
2004532428.tif 000024
2004532428.tif 000025
2004532428.tif 000026
2004532428.tif 000027
2004532428.tif 000028
【国際調査報告】
2004532428.tif 000029
2004532428.tif 000030
2004532428.tif 000031